(57)【要約】【課題】記録ヘッドの方式に関わらずスジ状の記録欠陥による画質の低下を防止する。【解決手段】インクジェットプリンタ１は、複数のインク吐出口１２００,…からインクを吐出することによって記録媒体Ｋの表面に記録を行うものである。このインクジェットプリンタ１は、インク吐出口１２００から吐出されるインクの量を制御する制御部１２２を備えている。この制御部１２２は、各インク吐出口１２００によって表現されるべき階調値を示す階調値データＰ１〜Ｐｎのそれぞれに対して、所定の範囲内に含まれるランダムな係数Ｒ１〜Ｒｎを乗算することができるようになっている。また、制御部１２２は、演算の結果に基づいてインク吐出口１２００のインク吐出量を制御することができるようになっている。また、インクジェットプリンタ１は、濃度階調法によって画像の階調を表現することができるようになっている。【選択図】  図３
2004188815.tif 000002
【特許請求の範囲】
【請求項１】
複数のインク吐出口からインクを吐出することによって記録媒体の表面に記録を行うインクジェット記録装置において、
各インク吐出口から吐出されるべきインクの量に関するインク量データのそれぞれに対して、所定の範囲内に含まれるランダムな係数を加算または乗算し、この演算の結果に基づいて前記インク吐出口のインク吐出量を制御する制御部を備えることを特徴とするインクジェット記録装置。
【請求項２】
請求項１記載のインクジェット記録装置において、
前記インク量データは、面積階調によって階調を表現するデータであることを特徴とするインクジェット記録装置。
【請求項３】
請求項２記載のインクジェット記録装置において、
前記インク量データは、誤差拡散法によって階調を表現するデータであることを特徴とするインクジェット記録装置。
【請求項４】
請求項１〜３の何れか一項に記載のインクジェット記録装置において、
前記記録媒体を搬送する搬送部を備え、
前記複数のインク吐出口は、前記搬送部による前記記録媒体の搬送方向と略直交して一列以上配列されていることを特徴とするインクジェット記録装置。
【発明の詳細な説明】
【０００１】
【発明の属する技術分野】
本発明は、インクを吐出することによって記録媒体の表面に画像を形成するインクジェット記録装置に関する。
【０００２】
【従来の技術】
従来より、記録媒体の表面にインクを吐出して記録を行うインクジェット記録装置においては、画像の形成方向に沿ってスジ状の記録欠陥が発生する場合がある。この記録欠陥が発生する原因としては、インクを吐出するインク吐出口の向きが製造誤差によってずれることや、硬化したインクによってインク吐出口が目詰まりすること等が挙げられる。また、特に記録ヘッドが記録媒体上で走査されるシリアルヘッド方式の記録ヘッドを有するインクジェット記録装置においては、記録媒体の搬送量が所定量から変化することも記録欠陥を発生させる原因となっている。
【０００３】
このようなスジ状の記録欠陥は画像中において視認性が高いため、画質を低下させる一因となっている。そのため、特にシリアルヘッド方式の記録ヘッドを有するインクジェット記録装置においては、このようなスジ状の記録欠陥による画質の低下を防ぐ方法として、種々の方法が提案されている（例えば、特許文献１〜４参照）。
【０００４】
【特許文献１】
特許３０７２７９２号公報
【特許文献２】
特許３２５５４０９号公報
【特許文献３】
特許３２４５３０９号公報
【特許文献４】
特許２９６１８５５号公報
【０００５】
【発明が解決しようとする課題】
しかしながら、これらの方法は、シリアルヘッド方式の記録ヘッドを有するインクジェット記録装置において記録欠陥の発生を防止するものであり、ラインヘッド方式の記録ヘッドを有するインクジェット記録装置には適用不可能であった。そのため、ラインヘッド方式の記録ヘッドを有するインクジェット記録装置では、スジ状の記録欠陥による画質の低下を防止することができなかった。
【０００６】
本発明の課題は、記録ヘッドの方式に関わらずスジ状の記録欠陥による画質の低下を防止することができるインクジェット記録装置を提供することを目的とする。
【０００７】
【課題を解決するための手段】
請求項１記載の発明は、複数のインク吐出口からインクを吐出することによって記録媒体の表面に記録を行うインクジェット記録装置において、
各インク吐出口から吐出されるべきインクの量に関するインク量データのそれぞれに対して、所定の範囲内に含まれるランダムな係数を加算または乗算し、この演算の結果に基づいて前記インク吐出口のインク吐出量を制御する制御部を備えることを特徴とする。
【０００８】
ここで、インク量データが所定の閾値を跨いで変化する場合には、インク吐出口から吐出されるインクの液滴数が変化することとなる。このようなインク量データとしては、吐出されるインクによって表現されるべき階調を示す階調値データと、吐出されるべきインクの液滴数を示す液滴数データ等とがある。なお、インク量データのそれぞれに対してランダムな係数を加算または乗算することは、或るインク吐出口に対応するインク量データと、他のインク吐出口に対応するインク量データとのそれぞれに対してランダムな係数を加算または乗算することを意味する。
また、所定の範囲とは、その範囲内の最大値と最小値とのうちの何れか一方をインク量データに加算または乗算する場合には演算の前後でインク量データが前記閾値を跨いで変化可能であり、他方をインク量データに加算または乗算する場合には演算の前後でインク量データが前記閾値を跨ぐようには変化しない範囲である。このような範囲は、正の値のみを含む範囲に限らず、正負の値を含む範囲や、負の値のみを含む範囲でも良い。更に、この範囲は、整数群からなる範囲に限らず、有理数群からなる範囲や、実数群からなる範囲であっても良い。
【０００９】
請求項１記載の発明によれば、各インク吐出口から吐出されるべきインクの量に関するインク量データのそれぞれに対して制御部がランダムな係数を加算または乗算し、演算の結果に基づいてインク吐出口のインク吐出量を制御するので、インク吐出口ごとにインク吐出量がランダムに増減し、形成される画像の階調がランダムに変化することとなる。従って、インク吐出口の向きが製造誤差によってずれたり、硬化したインクによって目詰まりしたりすることにより画像の形成方向にスジ状の記録欠陥が発生する場合であっても、記録欠陥の近傍の階調をランダムに変化させることによってこの記録欠陥を目立たなくすることができるため、スジ状の記録欠陥による画質の低下を防止することができる。よって、従来と異なり、記録ヘッドがラインヘッド方式のものであっても、シリアルヘッド方式のものであっても、スジ状の記録欠陥による画質の低下を防止することができる。つまり記録ヘッドの方式に関わらずスジ状の記録欠陥による画質の低下を防止することができる。
【００１０】
請求項２記載の発明は、請求項１記載のインクジェット記録装置において、
前記インク量データは、面積階調によって階調を表現するデータであることを特徴とする。
【００１１】
請求項２記載の発明によれば、面積階調によって画像の階調を表現するインクジェット記録装置において、請求項１記載の発明と同様の効果を得ることができる。
【００１２】
請求項３記載の発明は、請求項２記載のインクジェット記録装置において、
前記インク量データは、誤差拡散法によって階調を表現するデータであることを特徴とするインクジェット記録装置。
【００１３】
請求項３記載の発明によれば、面積階調の誤差拡散法によって画像の階調を表現するインクジェット記録装置において、請求項２と同様の効果を得ることができる。
【００１４】
請求項４記載の発明は、請求項１〜３の何れか一項に記載のインクジェット記録装置において、
前記記録媒体を搬送する搬送部を備え、
前記複数のインク吐出口は、前記搬送部による前記記録媒体の搬送方向と略直交して一列以上配列されていることを特徴とする。
【００１５】
請求項４記載の発明によれば、従来と異なり、ラインヘッド方式のインクジェット記録装置においても請求項１〜３の何れか一項に記載の発明と同様の効果を得ることができる。
また、シリアルヘッド方式の記録ヘッドを有するインクジェット記録装置と比較して、より高速で画像の形成を行うことができる。
【００１６】
【発明の実施の形態】
以下、本発明の実施の形態について、図面を参照して説明する。なお、本実施の形態においては、インクジェット記録装置をラインヘッド方式のインクジェットプリンタとして説明する。このインクジェットプリンタは、連続して搬送される記録媒体に対し光硬化型のインクによって所望の画像を記録する装置である。
【００１７】
図１は、インクジェットプリンタ１の概略構成を示す図である。
インクジェットプリンタ１は、記録媒体Ｋを搬送方向Ｘに搬送する搬送部１０と、搬送される記録媒体Ｋに画像を記録する画像記録装置１２とを備えている。
【００１８】
搬送部１０は、記録媒体Ｋを上部に支持するプラテン１１と、記録媒体Ｋを案内して搬送するローラ群１３とからなる。
プラテン１１には、記録媒体Ｋをプラテン１１の表面に密着させるための吸引機構（図示せず）が設けられている。この吸引機構は、プラテン１１の表面から開口する複数の吸引口と、ファンを有する吸引室とを備えている。吸引室は吸引口に通じた状態に設けられており、ファンの駆動によって複数の吸引口を介して記録媒体Ｋを吸引し、プラテン１１の表面に保持している。
【００１９】
ローラ群１３は、元巻きローラ１３ａ及び巻き取りローラ１３ｊ等からなる。
元巻きローラ１３ａは、回転自在な状態でプラテン１１よりも搬送方向Ｘの上流側に配設されている。この元巻きローラ１３ａには、所定幅を有する長尺な記録媒体Ｋが巻回されている。
巻き取りローラ１３ｊは、モータ等の駆動源（図示せず）によって回転駆動自在な状態でプラテン１１よりも搬送方向Ｘの下流側に配設されている。この巻き取りローラ１３ｊは、元巻きローラ１３ａから送られる記録媒体Ｋを巻き取るようになっている。駆動源は、巻き取りローラ１３ｊを間欠的に回転させることにより記録媒体Ｋを搬送方向Ｘに搬送するようになっている。
【００２０】
元巻きローラ１３ａとプラテン１１との間には、元巻きローラ１３ａから送られる記録媒体Ｋを案内するための４つの従動ローラ１３ｂ〜１３ｅが回転自在に配設されている。これら従動ローラ１３ｂ〜１３ｅのうち、元巻きローラ１３ａから搬送方向Ｘの下流側に向かって配設された１番目、２番目、４番目の従動ローラ１３ｂ，１３ｃ，１３ｅは記録媒体Ｋをプラテン１１とほぼ同一の高さに水平に支持しており、３番目に配設された従動ローラ１３ｄは記録媒体Ｋを下方に案内してこの記録媒体Ｋに一定の張力を付与するようになっている。
【００２１】
また、プラテン１１と巻き取りローラ１３ｊとの間にも、同様に記録媒体Ｋを案内するための４つの従動ローラ１３ｆ〜１３ｉが回転自在に配設されている。これら従動ローラ１３ｆ〜１３ｉのうち、プラテン１１から搬送方向Ｘの下流側に向かって配設された１番目、３番目、４番目の従動ローラ１３ｆ，１３ｈ，１３ｉは記録媒体Ｋをプラテン１１とほぼ同一の高さに水平に支持しており、２番目に配設された従動ローラ１３ｇは記録媒体Ｋを下方に案内してこの記録媒体Ｋに一定の張力を付与するようになっている。
【００２２】
画像記録装置１２は、プラテン１１の上方に配置されている。また画像記録装置１２は、記録媒体Ｋの幅寸法より大きな幅寸法を有するように形成され、記録媒体Ｋの幅方向に、つまり搬送方向Ｘと直交する方向に延在している。この画像記録装置１２は、図２に示すように、光硬化性のインクを吐出する４つの記録ヘッド１２０，…と、各記録ヘッド１２０に搬送方向Ｘの下流側から隣接して光を照射する４つの光照射装置１２１，…とを備えている。
【００２３】
４つの記録ヘッド１２０，…は、それぞれイエロー、マゼンダ、シアン及びブラックからなるプロセスカラーの何れか１つのインクを吐出するライン型の記録ヘッドである。これら記録ヘッド１２０，…は記録媒体Ｋの幅方向に延在するとともに搬送方向Ｘに所定間隔をあけて配置されている。
【００２４】
各記録ヘッド１２０の下面には、図３に示すように、複数のインク吐出口１２００,…が記録媒体Ｋの幅方向に平行な列状に配設されている。これらインク吐出口１２００,…は、プラテン１１に支持された記録媒体Ｋに向かってインクを超微細な液滴として吐出し、濃度階調法によって画像の階調を表現するものである。なお、濃度階調法とは、画素毎の濃度を変化させることにより階調を表現する方法であり、具体的には一画素に対して突出されるべきインクの液滴数によって階調を表現する方法である。また、本実施の形態においては、インク吐出口１２００の数はｎ個（ｎは２以上の自然数）とする。
【００２５】
また、記録ヘッド１２０には、各インク吐出口１２００から吐出されるインクの量を制御する制御部１２２が設けられている。この制御部１２２は、各インク吐出口１２００から吐出されるべきインクの量に関するインク量データを記憶する第一のデータテーブル１２２１及び第二のデータテーブル１２２２と、ｎ個のランダムな係数Ｒ１〜Ｒｎを記憶する係数テーブル１２２０とを有している。なお、インク量データとしては、吐出されるインクによって表現されるべき階調を示す階調値データと、吐出されるべきインクの液滴数を示す液滴数データ等とがあり、本実施の形態においてはインク量データを階調値データとして説明する。
【００２６】
第一のデータテーブル１２２１には、画像データに含まれる階調値データＰ１〜Ｐｎが入力されるようになっている。なお、本実施の形態においては、階調値データＰ１〜Ｐｎは、それぞれ０〜２５５の値で示されるものとする。
【００２７】
第二のデータテーブル１２２２には、階調値データＲ１Ｐ１〜ＲｎＰｎが入力されるようになっている。これら階調値データＲ１Ｐ１〜ＲｎＰｎは、インク吐出口１２００，…から吐出されるべきインクの液滴数を決定するためのデータである。なお、本実施の形態においては、階調値データＲｍＰｍ（ｍは自然数、１≦ｍ≦ｎ）の閾値は０及び１２８となっており、階調値データＲｍＰｍが０以下の場合にはインク吐出口１２００はインクを吐出せず、階調値データＲｍＰｍが１以上かつ１２８以下の場合にはインク吐出口１２００はインクを１滴吐出し、階調値データＲｍＰｍが１２９以上の場合にはインク吐出口１２００はインクを２滴吐出するものとする。
【００２８】
この階調値データＲ１Ｐ１〜ＲｎＰｎは、階調値データＰ１〜Ｐｎのそれぞれに対して係数テーブル１２２０の係数Ｒ１〜Ｒｎを乗算することによって算出されている。係数Ｒ１〜Ｒｎはそれぞれランダムな係数であり、所定の範囲内に含まれている。この範囲は正の実数からなる範囲である。またこの範囲は、係数Ｒｍが最大値である場合には階調値データＰｍと階調値データＲｍＰｍとのうちの一方が上記閾値以上でかつ他方が上記閾値以下となり得て、係数Ｒｍが最小値である場合には階調値データＰｍと階調値データＲｍＰｍとの何れもが上記閾値以上または以下となるように設定されている。上記範囲の具体例としては、例えば０．９５０〜１．０５０を挙げることができる。
なお、係数テーブル１２２０の係数Ｒ１〜Ｒｎは、第一のデータテーブル１２２１に所定の回数データが入力される度にランダムに変更されるようになっている。
【００２９】
光照射装置１２１，…は、蛍光管、レーザー、ＬＥＤ及び電子線照射装置のうちの何れか１つからなり、紫外線を照射することによってインクを硬化させるものである。これら光照射装置１２１，…は、記録媒体Ｋの幅方向に延在しており、各記録ヘッド１２０よりも搬送方向Ｘにおける下流側に配置されている。また、光照射装置１２１，…は、複数のインク吐出口１２００,…よりも上方から記録媒体Ｋに向かって光を照射するようになっている。
【００３０】
次に、本実施形態に用いられる「インク」について説明する。
本実施形態に用いられるインクは、特に「光硬化技術−樹脂・開始剤の選定と配合条件及び硬化度の測定・評価−（技術協会情報）」に記載の「光硬化システム（第４章）」の「光酸・塩基発生剤を利用する硬化システム（第１節）」、「光誘導型交互共重合（第２節）」等に適合するインクが適用可能であり、通常のラジカル重合により硬化するものであってもよい。
【００３１】
具体的に、本実施形態に用いられるインクは、光としての紫外線の被照射により硬化する性質を具備する紫外線硬化型インクであり、主成分として、重合性化合物（公知の重合性化合物を含む。）と、光開始剤と、色材とを少なくとも含むものである。ただし、本実施形態に用いるインクとして、上記「光誘導型交互共重合（第２節）」に適合するインクを用いる場合には、光開始剤は除外されてもよい。
【００３２】
上記光硬化型インクは、重合性化合物として、ラジカル重合性化合物を含むラジカル重合系インクとカチオン重合性化合物を含むカチオン重合系インクとに大別されるが、その両系のインクが本実施形態に用いられるインクとしてそれぞれ適用可能であり、ラジカル重合系インクとカチオン重合系インクとを複合させたハイブリッド型インクを本実施形態に用いられるインクとして適用してもよい。
【００３３】
しかしながら、酸素による重合反応の阻害が少ない又は無いカチオン重合系インクのほうが機能性・汎用性に優れるため、本実施形態では、特に、カチオン重合系インクを用いている。
【００３４】
なお、本実施形態に用いられるカチオン重合系インクは、具体的にオキセタン化合物、エポキシ化合物、ビニルエーテル化合物等のカチオン重合性化合物と、光カチオン開始剤と、色材とを少なくとも含む混合物であり、上記の通り、紫外線の照射により硬化する性質を具備するものである。
【００３５】
ところで、本実施形態に用いられるインク（ラジカル重合系インク，カチオン重合系インク及びハイブリッド型インクを含む。）は、上記の通り紫外線の被照射により硬化するものであるが、必ずしもこれには限定されず、紫外線以外の光の被照射により硬化するものであってもよい。ここでいう「光」とは、広義の光であって、紫外線、電子線、Ｘ線、可視光線、赤外線等の電磁波を含むものである。つまり、本実施形態に用いられるインクには、紫外線以外の光で重合して硬化する重合性化合物と、紫外線以外の光で重合性化合物同士の重合反応を開始させる光開始剤とが適用されてもよい。紫外線以外の光で硬化する光硬化型のインクを本実施形態に用いられるインクとして用いる場合は、その光を照射する光源を光照射装置１２１として適用しなければならない。
【００３６】
次に、本実施形態に用いられる「記録媒体Ｋ」について説明する。
本実施形態に用いられる記録媒体Ｋとしては、通常のインクジェットプリンタに適用される普通紙，再生紙，光沢紙等の各種紙，各種布地，各種不織布，樹脂，金属，ガラス等の材質からなる記録媒体が適用可能である。記録媒体Ｋの形態としては、ロール状、カットシート状、板状等が適用可能である。本実施形態では、記録媒体Ｋとして、図１に示す通りのロール状に巻かれた長尺な樹脂製フィルムを用いている。
【００３７】
特に、本実施形態で用いられる記録媒体Ｋとして、所謂軟包装に用いられる透明又は不透明な非吸収性の樹脂製フィルムが適用できる。樹脂製フィルムの具体的な樹脂の種類として、ポリエチレンテレフタレート，ポリエステル，ポリオレフィン，ポリアミド，ポリエステルアミド，ポリエーテル，ポリイミド，ポリアミドイミド，ポリスチレン，ポリカーボネート，ポリ-ρ-フェニレンスルフィド，ポリエーテルエステル，ポリ塩化ビニル，ポリ(メタ)アクリル酸エステル、ポリエチレン、ポリプロピレン、ナイロン等が適用可能であり、さらには、これら樹脂の共重合体、これら樹脂の混合物、これら樹脂を架橋したもの等も適用可能である。中でも、樹脂製フィルムの樹脂の種類として、延伸したポリエチレンテレフタレート，ポリスチレン，ポリプロピレン，ナイロンのいずれかを選択するのが、樹脂製フィルムの透明性・寸法安定性・剛性・環境負荷・コスト等の面で好ましく、２〜１００μｍ（好ましくは６〜５０μｍ）の厚みを有する樹脂製フィルムを用いるのが好ましい。また、樹脂製フィルムの支持体の表面にコロナ放電処理、易接着処理等の表面処理を施してもよい。
【００３８】
さらに、本実施形態に用いられる記録媒体Ｋとして、樹脂により表面を被覆した各種紙，顔料を含むフィルム，発泡フィルム等の不透明な公知の記録媒体も適用可能である。
【００３９】
次に、画像記録時におけるインクジェットプリンタ１の動作について説明する。なお、以下の動作は巻き取りローラ１３ｊによって記録媒体Ｋを搬送方向Ｘに向かって搬送した状態で行われているものとする。
【００４０】
まず、第一のデータテーブル１２２１に階調値データＰ１〜Ｐｎを入力するとともに、係数テーブル１２２０に係数Ｒ１〜Ｒｎを入力する。
次に、階調値データＰ１〜Ｐｎのそれぞれに対し係数Ｒ１〜Ｒｎを乗算し、この演算の結果である階調値データＲ１Ｐ１〜ＲｎＰｎを第二の階調データデーブル１２２２に入力する。
次に、上記の閾値と階調値データＲ１Ｐ１〜ＲｎＰｎとに基づいて、各インク吐出口１２００が吐出するべきインクの液滴数を計算する。
次に、計算された液滴数のインクをインク吐出口１２００から吐出する。
そして、以上の処理を繰り返す。なお、係数Ｒ１〜Ｒｎは、第一のデータテーブル１２２１に所定の回数データが入力される度にランダムに変更されている。
【００４１】
以上のように画像を形成するインクジェットプリンタ１によれば、各インク吐出口１２００から吐出されるインクによって表現されるべき階調を示す階調値データＰ１〜Ｐｎのそれぞれに対して制御部１２２がランダムな係数Ｒ１〜Ｒｎを乗算し、演算の結果に基づいた量のインクをインク吐出口１２００から吐出するので、インク吐出口１２００ごとにインク吐出量がランダムに増減し、形成される画像の階調がランダムに変化することとなる。従って、インク吐出口１２００の向きが製造誤差によってずれたり、硬化したインクによって目詰まりしたりすることにより画像の形成方向にスジ状の記録欠陥が発生する場合であっても、記録欠陥の近傍の階調をランダムに変化させることによってこの記録欠陥を目立たなくすることができるため、スジ状の記録欠陥による画質の低下を防止することができる。よって、従来と異なり、記録ヘッド１２０がラインヘッド方式のものであっても、シリアルヘッド方式のものであっても、スジ状の記録欠陥による画質の低下を防止することができる。つまり記録ヘッド１２０の方式に関わらずスジ状の記録欠陥による画質の低下を防止することができる。
また、記録ヘッド１２０はラインヘッド方式のものであるので、シリアルヘッド方式のものである場合と比較して、より高速で画像の形成を行うことができる。
【００４２】
なお、上記実施の形態においては、階調値データＰ１〜Ｐｎに対して係数Ｒ１〜Ｒｎを乗算することとして説明したが、各インク吐出口１２００から吐出されるべきインクの液滴数を示す液滴数データに対して係数Ｒ１〜Ｒｎを乗算することとしても良い。
また、階調値データＰ１〜Ｐｎに対し係数Ｒ１〜Ｒｎを乗算することとして説明したが、加算することとしても良い。
【００４３】
更に、インクジェットプリンタ１は濃度階調法によって階調を表現することとして説明したが、面積階調法、具体的には誤差拡散法などによって階調を表現することとしても良い。この場合には、誤差拡散法によって画像の階調を表現するインクジェット記録装置においてスジ状の記録欠陥による画質の低下を防止することができる。なお、誤差拡散法によって階調を表現する場合には、誤差拡散された階調値データが第一のデータテーブル１２２１に入力されることとなる。
【００４４】
【発明の効果】
請求項１記載の発明によれば、従来と異なり、記録ヘッドがラインヘッド方式のものであっても、シリアルヘッド方式のものであっても、スジ状の記録欠陥による画質の低下を防止することができる。つまり記録ヘッドの方式に関わらずスジ状の記録欠陥による画質の低下を防止することができる。
【００４５】
請求項２記載の発明によれば、面積階調によって画像の階調を表現するインクジェット記録装置において、請求項１記載の発明と同様の効果を得ることができる。
【００４６】
請求項３記載の発明によれば、面積階調の誤差拡散法によって画像の階調を表現するインクジェット記録装置において、請求項２と同様の効果を得ることができる。
【００４７】
請求項４記載の発明によれば、従来と異なり、ラインヘッド方式のインクジェット記録装置においても請求項１〜３の何れか一項に記載の発明と同様の効果を得ることができる。
また、シリアルヘッド方式のインクジェット記録装置と比較して、より高速で画像の形成を行うことができる。
【図面の簡単な説明】
【図１】本発明に係るインクジェットプリンタの実施の形態の概略構成を示す図である。
【図２】画像形成装置とプラテンとを示す側面図である。
【図３】記録ヘッドの下面と制御部とを示す概念図である。
【符号の説明】
１  インクジェットプリンタ（インクジェット記録装置）
１０  搬送部
１２２  制御部
１２００  インク吐出口
Ｋ  記録媒体
【図１】
2004188815.tif 000003
【図２】
2004188815.tif 000004
【図３】
2004188815.tif 000005